(57)【特許請求の範囲】
【請求項１】
サーバーの装置本体に搭載される複数枚のＨＤＤ本体と、該ＨＤＤ本体を収納した支持手段からなるＨＤＤ装置であって、
前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、
前記支持手段は、両側面内側に対峙させて縦方向に且つ所定の間隔をもって並列状態に形成した複数のスロットと、上縁部に内側方向に向けて形成した断面コ字状の係止部とを有し、
該スロット間には通風穴が設けられると共に、各スロットには溝部を有すると共に緩衝部を有するガイド部材が配設され、
前記フレームの厚みよりも前記溝部の幅を広く形成すると共に、フレームの両側面の上端部寄りと、溝部の下端部寄りとに位置規制と落下防止用の緩衝部がそれぞれ形成され、
前記ＨＤＤユニットはフレームをガイド部材の溝部にガイドさせ前記誤挿入防止用のストッパー突起により誤挿入でないときにのみ前記支持手段のスロットに挿着でき、緩衝部で支持されて取り付けられ、
前記フレームの係止手段を前記支持手段の断面コ字状の係止部に係合させて各ＨＤＤユニットが個別にロックされること
を特徴とするＨＤＤ装置。
【請求項２】
前記把持部と前記係止手段は、フレームの頂部に設けられている
請求項１に記載のＨＤＤ装置。
【請求項３】
フレームに形成した緩衝部は、一部を膨出させてガイド部材の溝部の幅よりも大きくしたものである
請求項１に記載のＨＤＤ装置。
【請求項４】
溝部に形成された緩衝部は、一部を内側に膨出させてフレームの厚みよりも狭くしたものである
請求項１に記載のＨＤＤ装置。
【請求項５】
ガイド部材にも、誤挿入防止手段が設けられている
請求項１に記載のＨＤＤ装置。
【請求項６】
サーバーの装置本体に搭載される複数枚のＨＤＤ本体を収納するＨＤＤ収納装置であって、
両側面内側に対峙させて縦方向に且つ所定の間隔をもって並列状態に形成した複数のスロットと、上縁部に内側方向に向けて形成した断面コ字状の係止部とを有する支持手段を備え、
前記支持手段は、該スロット間には通風穴が設けられると共に、各スロットには溝部を有すると共に緩衝部を有するガイド部材が配設され、
前記フレームの厚みよりも前記溝部の幅を広く形成すると共に、フレームの両側面の上端部寄りと、溝部の下端部寄りとに位置規制と落下防止用の緩衝部がそれぞれ形成され、
前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、
前記ＨＤＤユニットは、フレームをガイド部材の溝部にガイドさせ前記誤挿入防止用のストッパー突起により誤挿入でないときにのみ前記支持手段のスロットに挿着でき、緩衝部で支持されて取り付けられ、
前記フレームの係止手段を前記支持手段の断面コ字状の係止部に係合させて各ＨＤＤユニットが個別にロックされること
を特徴とするＨＤＤ装置。
【請求項７】
ＨＤＤ収納装置にＨＤＤ本体を収納するＨＤＤ本体であって、
前記ＨＤＤ収納装置は、両側面内側に対峙させて縦方向に且つ所定の間隔をもって並列状態に形成した複数のスロットと、上縁部に内側方向に向けて形成した断面コ字状の係止部とを有する支持手段を備え、
前記支持手段は、該スロット間には通風穴が設けられると共に、各スロットには溝部を有すると共に緩衝部を有するガイド部材が配設され、
前記フレームの厚みよりも前記溝部の幅を広く形成すると共に、フレームの両側面の上端部寄りと、溝部の下端部寄りとに位置規制と落下防止用の緩衝部がそれぞれ形成され、
前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、
前記ＨＤＤユニットは、フレームをガイド部材の溝部にガイドさせ前記誤挿入防止用のストッパー突起により誤挿入でないときにのみ前記支持手段のスロットに装着でき、緩衝部材で支持されて取り付けられ、
前記フレームの係止手段を前記支持手段の断面コ字状の係止部に係合させて各ＨＤＤユニットが個別にロックされること
を特徴とするＨＤＤ本体。
【発明の詳細な説明】
【０００１】
【発明の属する技術分野】
本発明は、主として放送関係に使用されるオーディオ・ビジュアル（ＡＶ）用のサーバーに搭載される複数枚のハードディスクドライブ（ＨＤＤ）本体をユニット化して組み込んだＨＤＤ装置に関するものである。
【０００２】
【従来の技術】
この種のＡＶサーバーにおいては、一般的に装置本体、即ちキャビネット内にＨＤＤ装置と、インターフェース（Ｉ／Ｆ）と、プリンテッド・ワイヤー・ボード（ＰＷＢ）と、電源部と、ファンとを装備している。そして、ＡＶサーバーに組み込まれるＨＤＤ装置は、ラック等に取り付けて運用されており、その運用途中においてＨＤＤ本体の交換が容易なように、ＨＤＤ本体をキャビネットの前面側から抜き差しできるように構成している。
【０００３】
この場合のＨＤＤ本体は、片面が開口する箱形（弁当箱形状）のキャディに収納支持されており、該キャディの短辺側の面に複数の通気孔を設けてある。そして、複数のキャディが挿着される受け入れ側の部材の一例としては、枠状の部材が使用され、その枠状の部材の所定位置にテーパー状の嵌合穴を設け、キャディ側にその嵌合穴に嵌まる突起を設けておき、キャディを挿着したときに突起と穴との嵌合により位置決めと固定とがなされる構成になっている。
【０００４】
また、受け入れ部材の他の例としては、板金で形成した長方形のボックスがある。このボックスは、挿着または収納されるキャディの厚みに対応して、その側面板にガイド部材を所定の間隔をもって切り起こして形成し、そのガイド部材間に、通気孔を設けた短辺側を前面に向けてキャディが並列状態にセットされるように順次挿着し、前面側から冷却風を通過させ得る構成になっている。
【０００５】
【発明が解決しようとする課題】
これらの従来例におけるＨＤＤ装置は、ＨＤＤ本体が箱形のキャディに取り付けられて一応のユニット化されたものであるが、前者の嵌合穴と突起との嵌合による取り付け構造であると、ＨＤＤ本体の挿着時において位置決め用の突起が嵌合穴に入るまではフリーな状態にあるため、挿着方向が少しでもずれているとその突起が他の部材にぶつかったり、嵌合穴にうまく入らなかったりして予期しない支障が生ずるという問題点がある。
【０００６】
また、後者のガイド部材を切り起こしたボックスは、キャディを所定の間隔をもって並列させるために、ガイド部材の形成間隔がキャディの厚みに制約を受けるため、全体として小型化できないという問題点を有するばかりでなく、特に、前面側からＨＤＤ本体を交換できるように、所謂横方向からの挿着・離脱の構成であることから、ＨＤＤ本体がキッチリと固定されていないとエラーを起こしやすいため、キャディの重量を増やしたり、別部材のバネを取り付けて固定させたり、或いは別のバー状部材を配設して固定する必要があり、装置として重量が増えて大型化するという問題点を有している。
【０００７】
また、いずれの従来例においても、横方向からの挿抜方式であることから、落下の問題は生じないが、例えば、縦方向からの挿抜方式に使用すると、挿抜作業の際に誤って落下させると、ＨＤＤ本体の下端部が支持枠またはボックスの底部に衝突して、その一部が相互に破損または変形し、接続不良が生ずるという問題点を有している。
【０００８】
従って、従来例におけるＨＤＤ装置は、ＨＤＤ本体を横方向から交換できる構成によって生じていた位置合わせの不都合と、縦方向に挿抜できる構成にすることで生ずる落下による不都合とを解消すること、およびＨＤＤ本体の挿着・離脱の作業において正確性を期すると共に作業性を向上させること、並びにＨＤＤ本体をセットした状態において耐衝撃性および耐震性を向上させて安定させること、に解決しなければならない課題を有している。
【０００９】
【課題を解決するための手段】
前記従来例の課題を解決する具体的構成として本発明に係る第１の発明は、サーバーの装置本体に搭載される複数枚のＨＤＤ本体と、該ＨＤＤ本体を収納した支持手段からなるＨＤＤ装置であって、前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、前記支持手段は、両側面内側に対峙させて縦方向に且つ所定の間隔をもって並列状態に形成した複数のスロットと、上縁部に内側方向に向けて形成した断面コ字状の係止部とを有し、該スロット間には通風穴が設けられると共に、各スロットには溝部を有すると共に緩衝部を有するガイド部材が配設され、前記フレームの厚みよりも前記溝部の幅を広く形成すると共に、フレームの両側面の上端部寄りと、溝部の下端部寄りとに位置規制と落下防止用の緩衝部がそれぞれ形成され、前記ＨＤＤユニットはフレームをガイド部材の溝部にガイドさせ前記誤挿入防止用のストッパー突起により誤挿入でないときにのみ前記支持手段のスロットに挿着でき、緩衝部で支持されて取り付けられ、前記フレームの係止手段を前記支持手段の断面コ字状の係止部に係合させて各ＨＤＤユニットが個別にロックされることを特徴とするＨＤＤ装置を提供するものであり、第２の発明として、サーバーの装置本体に搭載される複数枚のＨＤＤ本体を収納するＨＤＤ収納装置であって、両側面内側に対峙させて縦方向に且つ所定の間隔をもって並列状態に形成した複数のスロットと、上縁部に内側方向に向けて形成した断面コ字状の係止部とを有する支持手段を備え、前記支持手段は、該スロット間には通風穴が設けられると共に、各スロットには溝部を有すると共に緩衝部を有するガイド部材が配設され、前記フレームの厚みよりも前記溝部の幅を広く形成すると共に、フレームの両側面の上端部寄りと、溝部の下端部寄りとに位置規制と落下防止用の緩衝部がそれぞれ形成され、前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、前記ＨＤＤユニットは、フレームをガイド部材の溝部にガイドさせ前記誤挿入防止用のストッパー突起により誤挿入でないときにのみ前記支持手段のスロットに挿着でき、緩衝部で支持されて取り付けられ、前記フレームの係止手段を前記支持手段の断面コ字状の係止部に係合させて各ＨＤＤユニットが個別にロックされることを特徴とするＨＤＤ装置を提供し、第３の発明として、ＨＤＤ収納装置にＨＤＤ本体を収納するＨＤＤ本体であって、前記ＨＤＤ収納装置は、両側面内側に対峙させて縦方向に且つ所定の間隔をもって並列状態に形成した複数のスロットと、上縁部に内側方向に向けて形成した断面コ字状の係止部とを有する支持手段を備え、前記支持手段は、該スロット間には通風穴が設けられると共に、各スロットには溝部を有すると共に緩衝部を有するガイド部材が配設され、前記フレームの厚みよりも前記溝部の幅を広く形成すると共に、フレームの両側面の上端部寄りと、溝部の下端部寄りとに位置規制と落下防止用の緩衝部がそれぞれ形成され、前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、前記ＨＤＤユニットは、フレームをガイド部材の溝部にガイドさせ前記誤挿入防止用のストッパー突起により誤挿入でないときにのみ前記支持手段のスロットに装着でき、緩衝部材で支持されて取り付けられ、前記フレームの係止手段を前記支持手段の断面コ字状の係止部に係合させて各ＨＤＤユニットが個別にロックされることを特徴とするＨＤＤ本体を提供するものである。
【００１０】
本発明のＨＤＤ装置においては、把持部と係止手段は、フレームの頂部に設けられていること、フレームに形成した緩衝部は、一部を膨出させてガイド部材の溝部の幅よりも大きくしたものであること、溝部に形成された緩衝部は、一部を内側に膨出させてフレームの厚みよりも狭くしたものであること、およびフレームとガイド部材とに、誤挿入防止手段が設けられていること、を付加的要件として含むものである。
【００１１】
本発明に係るＨＤＤ装置は、ＨＤＤ本体の周縁部に、頂部を除いてＨＤＤ本体の厚みよりも薄いフレームを取り付けてＨＤＤユニットとし、そのＨＤＤユニットが取り付けられる支持手段は、縦方向に形成した複数のスロットを設け、該スロットに溝部を有するガイド部材が配設されたものであり、前記フレームの厚みよりも前記溝部の幅を広く形成すると共に、フレームの両側面の上端部寄りと、溝部の下端部寄りとに位置規制と落下防止用の緩衝部がそれぞれ形成された構成とすることで、縦方向からの挿抜が可能であり、ＨＤＤユニットを取り付ける際に、ＨＤＤユニットの下端部をガイド部材の溝部に臨ませた状態で不用意に手を離したときに、溝部に沿ってＨＤＤユニットは滑り落ちるが、緩衝部の存在によってＨＤＤユニットの下端部が支持手段の底部に衝突しない位置でストップするので、衝突による種々の不都合が解消されるのである。また、緩衝部の存在によって挿着されたＨＤＤユニットの位置規制、即ちアライメントが行われるので、正確な位置にセットでき電気的な接続が正しく行えるのである。
【００１２】
【発明の実施の形態】
次に本発明を図示した好ましい実施の形態により更に詳しく説明する。ＡＶサーバー１は、その本体部内に少なくともＨＤＤ装置２と、Ｉ／Ｆ３と、ＰＷＢ４と、電源装置５と、ファン６とが搭載され、前面側から背面側に冷却風が流通する構成になっており、前面側に表示部及び操作部等を備えた化粧用のフロントパネル７が取り付けられている。これらが装備されている構成だけでは、一般的なＡＶサーバーと略同じである。
【００１３】
従って、本発明に係るＡＶサーバー１に搭載するＨＤＤ装置２は、支持手段の構成とＨＤＤ本体をユニット化してその挿着・離脱機構に特徴が存するものであり、そのＨＤＤ装置を搭載することでＡＶサーバーとしての機能及び取扱性を向上させたものである。
【００１４】
即ち、ＨＤＤ本体１１は、図２〜４に示したように、その周端縁部にフレーム１２を取り付けてユニット化したものであって、そのフレーム１２の頂部側の中心部に把持部１３を設けると共に、両側端部側に係止手段１４が設けられ、全体を所謂ＨＤＤユニット１５としたものである。
【００１５】
係止手段１４は、変形のギア機構が採用されており、左右対称であるのでその一方について説明すると、レバー１４ａの付いた駆動ギア１４ｂと、該駆動ギア１４ｂと噛合して回動する縦動ギア１４ｃとから構成されており、該縦動ギア１４ｃには係止部１４ｄが形成されている。
【００１６】
また、フレーム１２には、その両側面に位置する部位の所定位置に、ＨＤＤ本体１１がビス等を介して取り付けられるための取付部１６が複数個突出形成されると共に、比較的頂部寄りに緩衝部１７が形成されている。この緩衝部１７は、フレームの一部にスリットを設けて、フレームの一部を外側に膨出させたものである。
【００１７】
特に、このフレーム１２は、図５に示したように、頂部を除いて全体がスリムなものであって、フレームの両側部および下端部はＨＤＤ本体の肉厚よりも薄く形成されており、このフレーム１２が取り付けられたＨＤＤ本体１１は、そのほとんどが露出した状態になっている。そして、フレーム１２は、ＨＤＤユニット１５の適正な取り付けに際して重要なガイド部材となるのであり、緩衝部１７の少し上方に誤挿入防止用のストッパー突部１８が形成されている。なお、ＨＤＤ本体１１の下端部分にはＳＣＡ１９が取り付けられているが、フレーム１２はこのＳＣＡ１９の接続用コネクターの邪魔にはならないようになっている。
【００１８】
ＨＤＤユニット１５が取り付けられてＨＤＤ装置２を構成する枠状またはラック状の支持手段２０の一例は、概ね図６に示した構成になっている。即ち、支持手段２０は、前後に対峙して設けられた支持板２１、２２と、その両端部を支持する側面板２３、２４とで全体が枠形状または箱形状に形成された、所謂ラックである。なお、枠形状または箱形状が変形しないように、対峙する支持板２１、２２の略中間付近に支え板２３ａ、２４ａが取り付けられている。
【００１９】
対峙した支持板２１、２２は全く対称的に形成されているので、その一方の支持板２１について説明し、他方の支持板２２については、同一部分に同一符号を付してその詳細は省略する。
【００２０】
支持板２１は、図７に示したように、例えば、打ち抜き手段等により、上下方向に長尺の長方形を呈する通風穴２５を横方向に一定の間隔をもって形成すると共に、その通風穴２５の両側の縁部に沿って内側に切り起こした立ち上がり壁２６、２７を形成し、該立ち上がり壁２６、２７間にＨＤＤユニット１５が挿着されるスロット２８が形成される。従って、このスロット２８自体は、縦方向に位置し、且つ所定の間隔をもって並列状態に複数個が整列した状態で形成されることになる。
【００２１】
そして更に、支持板２１の少なくとも上端縁側には、係止部となる第１の溝部２９が形成され、該係止部は内側方向に向いて形成しされた断面コ字状の溝部である。また、下端縁側には、ＳＣＡ等の部品が取り付けられる取付部となる第２の溝部３０が形成され、該取付部は内側に折り曲げたフラット部２１ａを介して外側に向いて形成された断面コ字状の溝部である。
【００２２】
この実施の形態の場合には、例えば、１１個のスロット２８が形成され、各スロット２８には、それぞれ樹脂で形成されたガイド部材３１が取り付けられる。このガイド部材３１は、図８〜９に示したように、両側に沿って上下方向に延びるレール部３２、３３が略平行に形成され、該レール部間に所定深さの溝部３４を形成する。そして、ガイド部材の上端部側は端部に行くに従って肉薄に形成して漏斗状に形成し、ＨＤＤユニット１５の受け入れを容易にすると共に、一方のレール部３３の上端部は所定長さ切り下げてフラット面に形成して誤挿入を防止するストッパー部３３ａとしてある。
【００２３】
また、ガイド部材３１の下端部側は、受け部３５を前面側に突出形成すると共に、その受け部３５の両側にスリットを設けて取付用の爪部３６を延長して形成し、更に、レール部３２、３３の下端部寄りを前面側と内側とにそれぞれ僅かに膨出させると共に、溝部３４に肉厚部３４ａを形成して緩衝部３７を形成してある。この緩衝部３７が効果的に機能するために、溝部３４に肉厚部３４ａの両側に沿って長めのスリット３８を設けてあり、このスリット３８によって緩衝部３７を相対的に外側に変位させることができる。
【００２４】
ガイド部材３１の背面側には複数の取付用ボス部３９が突出形成されており、このガイド部材３１をスロット２８に取り付ける際に、取付用ボス部３９は、支持板２１のスロット２８に設けた穴２８ａに嵌合させ、爪部３６は下端縁側のフラット部２１ａに設けた穴２１ｂに押し込むようにして挿着固定され、安定した取り付け状態が得られるのである。
【００２５】
更に、支持手段２０は、図６に示したように、その側面板２３、２４にそれぞれ緩衝手段４０が設けられ、該緩衝手段４０を介して支持手段２０がＡＶサーバー１の筐体壁部の内側に取り付けられ、外部から伝達される振動または衝撃を緩衝手段４０によって緩衝するのである。
【００２６】
前述したように、各スロット２８にそれぞれガイド部材３１が取り付けられると共に、緩衝手段４０を介してＡＶサーバー１の本体部に取り付けられる構成の支持手段２０に対して、図１０に示したように、ＨＤＤユニット１５を各スロット２８の上部から差し込みまたは挿着するようにして取り付ける。
【００２７】
この場合に、ＨＤＤユニット１５は、その頂部に所定の把持部１３が存在することで、ＨＤＤユニット１５のピックアップが容易になり、その把持部１３を摘まんで挿着の方向と位置合わせとを行い、フレーム１２がガイド部材３１の溝部３４に嵌まるようにしてスロット２８内にＨＤＤユニット１５を落とし込みまたは滑り込ませるようにして差し込む。
【００２８】
そして、適正な方向で差し込むことによって、図１１に示したように、各スロット２８にＨＤＤユニット１５がそれぞれピッタリと嵌まって取り付けられ、ＨＤＤユニット１５のＳＣＡ１９と支持手段２０側に設けられているＳＣＡ５０とが一致して適正な状態で嵌合接続が遂行される。
【００２９】
このようにＳＣＡ同志の適正な嵌合接続がなされる状態で支持手段２０のスロット２８にＨＤＤユニット１５が挿着されると、ＨＤＤユニット１５の頂部に設けられている係止手段１４のレバー１４ａを、起立した状態からそれぞれ両側の端面側に押し倒すように操作することにより、縦動ギア１４ｃが回転し、その係止部１４ｄが第１の溝部２９に係合し、ＨＤＤユニット１５を下方に押し付けるように作用し、支持手段２０の底部側に押し付けられることでガタツキの生じない状態で、個々のＨＤＤユニット１５がロックされるのである。
【００３０】
この差し込み操作で、仮に誤って手を離しても、ＨＤＤユニット１５は、自己側の緩衝部１７の存在と、ガイド部材３１側の緩衝部３７の存在とによって、溝部３４内をそのまま滑って最下点まで落下することがなく、従って、ＨＤＤユニット１５の下端部がスロット２８の底部に衝突するようなことはないし、また、差し込み方向が誤っている場合も無理な挿着ができないようになっている。
【００３１】
そこで、フレーム１２とガイド部材３１の溝部３４との関係について、図１２及び図１３により説明すると、まず、図１２の（１）（２）において、フレーム１２の緩衝部１７の肉厚方向の幅Ａと、ガイド部材３１の溝部３４の幅ａとの関係で、Ａ＞ａが成立する寸法に形成されており、フレーム１２の肉厚方向の幅Ｂと、ガイド部材３１における緩衝部３７の溝幅ｂとの関係で、Ｂ＞ｂが成立する寸法にそれぞれ形成されている。
【００３２】
そして、図１３の（１）（２）において、両側に位置するフレーム１２の緩衝部１７の最大張り出し長さＣと、対峙するスロット２８に取り付けたガイド部材３１の溝部３４間の長さｃとの関係で、Ｃ＞ｃが成立する寸法に形成され、更に両側のフレーム１２の外側寸法Ｄと、ガイド部材３１における緩衝部３７の溝底間の寸法ｄとの関係が、Ｄ＞ｄが成立する寸法に形成されている。いずれの場合でも、その大小の寸法差は０．３±０．２ｍｍ程度である。
【００３３】
このようにＨＤＤユニット１５のフレーム１２と、支持手段２０におけるスロット２８のガイド部材３１との寸法を、上述の関係に形成しておくことで、支持手段２０に対して、その上部からＨＤＤユニット１５の挿着作業をしたときに、所定の深さまで挿着すると緩衝部１７、３７においてそれぞれ所定の差し込み抵抗があるので、或る程度の押圧力をもって挿着しなければならない。
【００３４】
従って、仮に、挿着作業時において、挿着途中でＨＤＤユニット１５から手を離した場合に、所定の位置までは溝３４内を滑り落ちるが、相互の緩衝部１７、３７の存在によって、ＨＤＤユニット１５がスロット２８の底部に衝突するまでには至らないのであり、ＨＤＤユニット１５の落下衝撃によるＳＣＡ１９、５０等の部品の破壊または変形等の不都合は全く生じないのである。
【００３５】
また、スロット２８に対するＨＤＤユニット１５の差し込み方向が裏表で違った場合には、ガイド部材３１のストッパー部３３ａに、フレーム１２のストッパー突部１８が突き当たって、それ以上の差し込みまたは侵入ができないようになっている。従って、誤挿入による無理な接続操作が解消され、ＳＣＡ１９、５０等の損傷を防止できるばかりでなく、誤接続が防止できるようになっている。
【００３６】
以上の説明から理解できるように、支持手段２０に対するＨＤＤユニット１５の挿着行為において、初期挿着は比較的スムーズになされ、その挿着途中でフレーム１２の下端部とガイド部材３１の緩衝部３７とが接触すると共に、ガイド部材３１の上端とフレーム１２の緩衝部１７とがそれぞれ接触することで、所定の挿着抵抗が生ずることになるが、この挿着抵抗によって挿着されるＨＤＤユニット１５のアライメント、即ち正確な位置規制がなされるのである。従って、ＨＤＤユニット１５のフレーム１２と、スロット２８に取り付けたガイド部材３１とは、正確な位置規制と不用意な落下防止とが確実に遂行される構成になっているのである。
【００３７】
いずれにしても、ＡＶサーバーの装置本体に取り付けられた支持手段２０に対して、縦方向、即ち上下方向からＨＤＤユニットを挿着・離脱させることができるものであって、しかも、位置合わせなどを考慮しないで単にスロット２８に対して挿着するだけで、正確で且つスムーズな挿着が遂行され、またＨＤＤユニットは縦方向に整列しており、各スロット２８間に通風穴が設けられているので、ＨＤＤユニットの大半が露出した状態でその通風穴に臨んでおり、効率よく冷却風に接触して冷却されるのである。なお、本発明においては、一例としてＡＶサーバーについて説明したがこれに限定されるものではなく、他のサーバーについても当然適用できるものである。
【００３８】
【発明の効果】
以上説明したように本発明に係る第１の発明のＨＤＤ装置は、サーバーの装置本体に搭載される複数枚のＨＤＤ本体と、該ＨＤＤ本体を収納した支持手段からなるＨＤＤ装置であって、前記複数枚のＨＤＤ本体は、それぞれその周縁部に少なくとも把持部と係止手段と誤挿入防止用のストッパー突部とを有し、且つ頂部を除いてＨＤＤ本体の厚みよりも薄いフレームを取り付けてＨＤＤユニットとし、前記支持手段は、両側面内側に対峙させて縦方向に且つ所定の間隔をもって並列状態に形成した複数のスロットと、上縁部に内側方向に向けて形成した断面コ字状の係止部とを有し、該スロット間には通風穴が設けられると共に、各スロットには溝部を有すると共に緩衝部を有するガイド部材が配設され、前記フレームの厚みよりも前記溝部の幅を広く形成すると共に、フレームの両側面の上端部寄りと、溝部の下端部寄りとに位置規制と落下防止用の緩衝部がそれぞれ形成され、前記ＨＤＤユニットはフレームをガイド部材の溝部にガイドさせ前記誤挿入防止用のストッパー突起により誤挿入でないときにのみ前記支持手段のスロットに挿着でき、緩衝部で支持されて取り付けられ、前記フレームの係止手段を前記支持手段の断面コ字状の係止部に係合させて各ＨＤＤユニットが個別にロックされる構成にしたことにより、特に、支持手段に対するＨＤＤユニットの挿抜が縦方向から行うことができ、その挿着において、不用意にＨＤＤユニットが手から離れたときに、所定の位置までは滑り落ちるが、緩衝部の存在によってＨＤＤユニットの下端部が支持手段の底部に衝突しない位置でストップし、衝突による破損または変形などの不都合が解消されると共に、誤挿入防止用のストッパー突部を設けたことによりＨＤＤユニットは支持手段に対して正しく挿着収納され、係止手段と断面コ字状の係止部とで個別にロックされ緩衝部で支持されることで、装置全体としてエラーの生じない著しく安定したものとなるという優れた効果を奏するのあり、第２および第３の発明も略共通した効果を奏するのである。
【００３９】
また、フレームの厚みよりも溝部の幅を広く形成すると共に、フレームの両側面の上端部寄りと、溝部の下端部寄りとに位置規制用の緩衝部がそれぞれ形成されていることから、支持手段に挿着されるＨＤＤユニットは、その緩衝部でアライメントされて、正確な位置に速やかにセットでき電気的な接続が正しく行えるという優れた効果を奏する。
【００４０】
更に、個々のＨＤＤユニットが係止手段によって個々に安定的にロックされる構成であるので、耐衝撃性および耐震性に優れエラーが生じないものとなると共に、ＨＤＤユニットの挿抜方向は縦方向に限らず、横方向にすることもでき、ＨＤＤ装置が搭載される装置における設計の自由度が大幅に増大するという優れた効果を奏する。
【図面の簡単な説明】
【図１】本発明に係るＨＤＤ装置が搭載されるＡＶサーバーを理解し易いように略示的に示した斜視図である。
【図２】同ＨＤＤ装置のＨＤＤユニットを示す正面図である。
【図３】同ＨＤＤユニットの上面図である。
【図４】同ＨＤＤユニットの側面図である。
【図５】同ＨＤＤユニットのフレームのみを示す斜視図である。
【図６】本発明に係るＨＤＤ装置の支持手段を示した斜視図である。
【図７】同支持手段の一部を拡大して示した斜視図である。
【図８】同支持手段に取り付けられるガイド部材の（１）図が正面図であり、（２）図が側面図である。
【図９】図８のＸ−Ｘ線に沿う拡大断面図である。
【図１０】本発明に係るＨＤＤ装置の支持手段に対して、ＨＤＤユニットを挿着する状態の要部のみを略示的に示した正面図である。
【図１１】同支持手段に対して、ＨＤＤユニットを挿着した状態の要部のみを略示的に示した正面図である。
【図１２】本発明に係るＨＤＤ装置におけるＨＤＤユニットと支持手段の係合状態を説明するためのもので、（１）図はＨＤＤユニットのフレームの側面図、（２）図は支持手段のガイド部材の正面図である。
【図１３】同ＨＤＤ装置におけるＨＤＤユニットと支持手段の係合状態を説明するためのもので、（１）図はＨＤＤユニットのフレームの正面図であり、（２）図は支持手段のガイド部材の配設状態における側面図である。
【符号の説明】
１  ＡＶサーバー；  ２  ＨＤＤ装置；  ３  Ｉ／Ｆ；  ４  ＰＷＢ；
５  電源装置；  ６  ファン；  ７  フロントパネル；  １１  ＨＤＤ本体；
１２  フレーム；  １３  把持部；  １４  係止手段；  １４ａ  レバー；
１４ｂ  駆動ギア；  １４ｃ  縦動ギア；  １４ｄ  係止部；
１５  ＨＤＤユニット；  １６  取付部；  １７、３７  緩衝部；
１８  ストッパー突部；  １９、５０  ＳＣＡ；  ２０  支持手段；
２１、２２  支持板；  ２１ａ  フラット部；  ２１ｂ、２８ａ  穴；
２３、２４  側面板；  ２３ａ、２４ａ  支え板；  ２５  通風穴；
２６、２７  立ち上がり壁；  ２８  スロット；
２９  第１の溝部（係止部）；  ３０  第２の溝部（取付部）；
３１  ガイド部材；  ３２、３３  レール部；３３ａ  ストッパー部；
３４  溝部；  ３４ａ  肉厚部；  ３５  受け部；  ３６  爪部；
３８  スリット；  ３９  取付用ボス部；  ４０  緩衝手段。
【図１】
0004192315.tif 000002
【図２】
0004192315.tif 000003
【図３】
0004192315.tif 000004
【図４】
0004192315.tif 000005
【図５】
0004192315.tif 000006
【図６】
0004192315.tif 000007
【図７】
0004192315.tif 000008
【図８】
0004192315.tif 000009
【図９】
0004192315.tif 000010
【図１０】
0004192315.tif 000011
【図１１】
0004192315.tif 000012
【図１２】
0004192315.tif 000013
【図１３】
0004192315.tif 000014